(57)【特許請求の範囲】
【請求項１】
スリーブ状ハウジング（２）と、
該ハウジング（２）内を軸方向に延びるインク溜め（３）と、
前記ハウジング（２）の後部に位置し、回動不能に固定されながら後部待機位置と前部筆記位置との間を前記インク溜め（３）と共に手で移動可能であり、ばね（１４）の力で該後部待機位置に付勢されて前記ハウジング（２）に装着された押しボタン（６）と、
前記ハウジング（２）に設けた係合凹部（２１）と押しボタン（６）から延びて弾性的に横方向に湾曲可能なばねアーム（２４）の自由端に配置された係合突起（２３）との係合で、前記押しボタン（６）を前記前部筆記位置に後退しないよう保持する係合装置（１９）と、
その係合装置（１９）の作動を解除して、前記係合突起（２３）を所定の待機位置へ戻す移動装置（３５）と、
押しボタン（６）に配設され、前記係合突起（２３）が前記係合凹部（２１）との係合位置を超えて前方へ動いたときには該係合突起（２３）との当接により該係合突起（２３）を横移動させ、またその係合突起（２３）が前方へ動いた位置から戻るときには該係合突起（２３）が横方向へ移動して前記係合凹部（２１）内に入ることを該係合突起（２３）との当接により阻止する支持表面（１７ｂ）を備える支持部材とを備える筆記具（１）において、
前記支持部材が、押しボタン（６）の中央自由空間（１２）の半径方向外側に位置する、押しボタン（６）の周壁部分（１７ａ）に配設されることを特徴とする、ボールペンなどの筆記具。
【請求項２】
前記周壁部分（１７ａ）が、前記押しボタン（６）のスリーブ状周壁（１７）の一部であることを特徴とする請求項１に記載の筆記具。
【請求項３】
前記周壁部分（１７ａ）が、そこから前方へ延びる押しボタン（６）の他の周壁部分から半径方向内側へ突出（ｄ）していることを特徴とする請求項２に記載の筆記具。
【請求項４】
前記支持表面（１７ｂ）が、前記周壁部分（１７ａ）の軸に略平行に延びる側面からなることを特徴とする前記請求項１〜３のいずれか１項に記載の筆記具。
【請求項５】
前記支持表面（１７ｂ）が、前記周壁部分（１７ａ）の自由面からなることを特徴とする請求項４に記載の筆記具。
【請求項６】
前記支持表面（１７ｂ）が、周方向に対して傾斜して延びることを特徴とする請求項４又は５に記載の筆記具。
【請求項７】
前記支持表面（１７ｂ）が、前記係合突起（２３）の係合及び係合解除作動（２８）方向と略直角に延びる長手方向中央面（Ｅ１）に対して、好ましくは約４５°の鋭角（Ｗ３）をなすことを特徴とする請求項６に記載の筆記具。
【請求項８】
前記周壁部分（１７ａ）が、その外側で平坦化されていることを特徴とする前記請求項の１〜７のいずれか１項に記載の筆記具。
【請求項９】
前記周壁部分（１７ａ）が、割線状に延びる自由表面（１７ｃ）により平坦化されていることを特徴とする請求項８に記載の筆記具。
【請求項１０】
前記周壁部分（１７ａ）が、前記係合突起（２３）の係合及び係合解除作動（２８）方向と平行に延びる長手方向中央面（Ｅ２）から突出（ｆ）していることを特徴とする前記請求項１〜９のいずれか１項に記載の筆記具。
【発明の詳細な説明】
【技術分野】
【０００１】
本発明は、請求項１の前文に記載の筆記具、特にボールペンなどの筆記具に関する。
【背景技術】
【０００２】
前記タイプの筆記具は、「ＭｅｄｉａＣｌｉｃ（メディア・クリック）」という名称で本願出願人により市販されており、最新の技術を有するデバイスである。
【０００３】
前記公知の筆記具の最も重要な機能は、以下のとおりである。押しボタンが、後部すなわち筆記具の筆記端部とは反対側の端部に設けられると共に、筆記具のスリーブ状ハウジング内に軸方向移動可能に搭載され且つ回動不能に固定される。その反対側にはインク溜めがばね力によってハウジングに支持され、押しボタンを手で前方へ押すことによってインク溜めの筆記位置への移動が可能となり、その筆記位置で押しボタンは係合装置により自動的にハウジングに係合し、筆記具による筆記機能を実行できるように後退不能に固定される。係合装置は、ハウジングの壁に設けたジグザグ形状の案内溝と、その中を移動可能に案内される係合突起とからなる。この係合突起は、軸に略平行に延びて押しボタンに装着されたばねアームの自由端に配置されており、また押しボタンが前方へ押されたときはジグザグ形状の案内溝をまずは周方向に移動し、ジグザグ形状の案内溝の端で中央位置へはね返ってから、後退しないように押しボタンと係合する。
【０００４】
係合装置を解除するために移動装置が設けられる。この移動装置は、押しボタンを係合位置から更に手で前方へ押した場合に、係合突起の係合を自動的に解除する。押しボタンの係合を解除した後、ばねの力により、押しボタン及び係合突起を元の位置へ押し戻すことが可能となる。更に前方へ押された係合解除位置から後退する場合に、係合突起がジグザグ形状の案内溝に再び突入してその前端で係合するのを防ぐために、押しボタンには楕円形支持表面を有する支持部材が設けられる。この支持部材は、係合突起が係合位置から前方へ移動する時に周方向逆向きに突出しようとする際には、支持部材に対して横方向に偏位するので、係合突起の後退時にジグザグ形状の案内溝前端の元の位置にはね返ることはできず、案内溝の後端においてのみはね返ることになる。
【０００５】
公知の実施例では、支持部材は押しボタンの底壁部に設けられる。この底壁部は押しボタンの中央部分に位置し、その前面がインク溜め後端受容シャフトとの境界面を形成する。そのため、高い材料費を要する複雑な構成となっている。
【発明の開示】
【発明が解決しようとする課題】
【０００６】
本発明の基本的な課題は、支持部材の構成に関して前記のタイプの筆記具を改良することである。特に、支持部材の支持位置を押しボタンの周辺部分へ移動することである。
【課題を解決するための手段】
【０００７】
上記課題は、請求項１に記載の特徴により解決される。また、本発明の好適な発展例は従属する請求項に記載される。尚、請求項５の発明において、「周壁部分の自由面」とは、周壁部分の自由状態にある面、即ち他の部材と接触していない自由な面をいう。
【発明の効果】
【０００８】
本発明による筆記具では、支持部材は、押しボタンの中央自由空間の半径方向外側にある押しボタンの周壁部分に配設及び支持される。支持部材はこのように押しボタンの周壁又は周壁部分により支持される。そのため、公知の構造のような押しボタンの中心を横切って延びる支持壁が不要となるので、特に射出成型部品として容易に製造できる簡単な形状となる。
【０００９】
更なる利点は、本発明による構造では押しボタンの中央部分は中空となり、従って必要な材料の量が低減されることである。これにより、重量及び製造費用が削減される。
【００１０】
本発明による実施例の更なる利点は、自由空間をインク溜め用の受容空間として用いることができ、従って、インク溜めが作動用の遊びを有して挿入し得るように、インク溜めの断面より大きな断面を持つようにデザインできることである。その結果、インク溜め受容シャフトは支持部材を超えて軸方向に延長できるので、本筆記具は、より長いインク溜めに好適であり、筆記材料用の充填量が多く使用時間の長いインク溜めを利用できる。
【００１１】
支持表面は、周壁に設けた孔部の境界をなす周壁部分において、軸に沿って延在する表面として容易にデザイン可能であり、その場合、係合突起は、押しボタンがその係合位置から更に前方へ押され、係合突起が凹部に進入した時に、該孔部へ突入する。ここで最も重要なことは、その突入した係合位置で、係合突起は、ジグザグ形状の案内溝が配置された側で横方向に支持されていることである。この横方向の支持のため、係合突起が元の位置へ戻るときに、誤って案内溝へはね戻ることが形状嵌合により阻止される。
【００１２】
更に、従属請求項の特徴によれば、支持表面を支持するスリーブ部分において、また係合突起と案内溝との間の好ましくない磨耗があるにも拘わらず、その特別な形状により良好な作動と長い寿命が保証される係合突起部分において、簡単で好適な空間構成が可能となる。
【発明を実施するための最良の形態】
【００１３】
以下、添付図面と例示された好適な実施例により、本発明の有利な構成をより詳細に説明する。
【００１４】
図１は、本発明に係る筆記具の実施例を示す縦断面図である。
【００１５】
図２は、ハウジングの案内溝周辺部を図１で上方から見た上面図である。
【００１６】
図３は、押しボタン単体を図１で上方から見た上面図である。
【００１７】
図４は、図３の線ＩＶ−ＩＶの断面図である。
【００１８】
符号１で全体が示される筆記具の主要部品は、ペン形状のハウジング２及びその中に収容されるインク溜め３である。
【００１９】
ハウジング２は、ネジなどにより特に先端にドーム部５が連結され後端が押しボタン６により閉じられたグリップスリーブ４を備えており、押しボタン６は案内部７によりグリップスリーブ４に軸方向に移動可能に連結されている。インク溜め３が配置されるインク溜めシャフト８は、先細りした長手方向の孔部９としてドーム部５を貫通しており、グリップスリーブ４の中空部１１から構成され、その後端部分でインク溜め用孔部１２として押しボタン６の内部に延びている。
【００２０】
例示された実施例では、押しボタン６はスリーブ状案内軸１３を有し、その、例えば円形状の断面は移動の遊びを有してグリップスリーブ４の内部断面積及び形状に適合し、グリップスリーブ４に挿入され、軸方向に移動可能となっている。インク溜め３は、ばね１４、好ましくは包囲型渦巻きばねにより後方へ付勢されており、その後端部分は中央自由空間、ここでは押しボタン６のインク溜め用孔部１２に延びて、後部が、例示された実施例では案内軸１３のスリーブ壁部１７から半径方向内側に延びる放射状ウェブ１６に形成される肩部表面１５で支持される。またインク溜め３は、例えばインク溜め用孔部１２の断面に適合するような、より大きな断面を有しもよい；ウェブ１６は無くてもよく、インク溜め用孔部１２を区画する孔部壁部１８を、インク溜め３の後部を支持する肩部表面として機能させることも可能である。ばね１４の前端は、ドーム部５により支持され、その後端はインク溜め３の中央部分の肩部に当接する。
【００２１】
押しボタン６を手で前方へ押すことにより、インク溜め３が図示の後部待機位置から前部筆記位置へ移動する。前部筆記位置では、インク溜め先端３ａがドーム部５から突出し、押しボタン６が後退しないようにグリップスリーブ４に設けた係合装置１９によって係合される。
【００２２】
係合装置１９は、グリップスリーブ４のスリーブ壁部２２に設けた係合凹部２１と、押しボタン６にばね式に移動可能に配設された係合突起２３とから構成され、係合突起２３はばね１４の弾性力により自動的に係合凹部２１に係合する。係合突起２３は、案内軸１３の軸線と略平行に延びるばねアーム２４の自由端に配置される。ばねアーム２４は、押しボタン６の一部であって案内軸１３として機能するスリーブ壁部１７の一部であり、その両側に設けられた壁部凹部２５，２６によって形成される。
【００２３】
係合凹部２１は、ジグザグ形状の案内溝２７の一部であり、溝後端が待機凹部２７ａを構成し、溝前端が係合凹部２１を構成する。係合凹部２１の境界側壁部２１ａの位置が、待機凹部２７ａの境界壁部２７ｂに対して、案内溝２７の側へ数値ａ、例えば１〜２ｍｍ横方向にずれていてもよい。前方では、係合凹部２１が、グリップスリーブ４の長手方向軸を好ましくは直角に横切って延びる境界壁部２１ｂにより限定される。
【００２４】
ばねアーム２４から外側に突出する係合突起２３は、その断面形状に関しては案内溝２７の後端部分すなわち待機凹部２７ａの形状に適合する。即ち、後部から前部を見たとき右側に軸方向側面２３ａを有し、この側面２３ａの前方への延長線と、側面２３ａから係合突起２３の中心を越えて反対側へ延びる自由表面２３ｂとが約２５°から３５°の鋭角Ｗ１をなし、自由表面２３ｂから横方向へ延びる前部表面２３ｃが後方へ傾斜して、グリップスリーブの長手方向の中央軸４ａと例えば約４５°の鋭角Ｗ２をなしている。自由表面２３ｂと前部表面２３ｃとの縁端部は、湾曲部分又は縁端部面取り表面２３ｄにより面取りされていてもよい。後部表面２３ｅは、自由表面２３ｂと略平行に前方へ傾斜しており、後部及び／又は図３の左側面からＵ字状凹部２６内に延びるスリーブ壁部分１７ａの前端から後方へ向けて距離ｂの位置で終端している。周方向右側に、スリーブ壁部分１７ａは案内軸１３に平行に延びる支持表面１７ｂを有し、この支持表面１７ｂは係合突起２３の作動２８の径方向と交差して延びるグリップスリーブ４の長手方向中央面Ｅ１と鋭角Ｗ３をなす；該角Ｗ３は約３０〜６０°の範囲であり、例示された実施例では約４５°である。スリーブ壁部分１７ａの外側は、割線状に延びる自由表面１７ｃにより平坦化されていてもよく、これにより支持表面１７ｂがスリーブ壁部分１７ａの内側部分に限定される。例示された実施例では、支持表面１７ｂの半径方向外側の境界縁部１７ｄは、Ｅ１と直角に延びる長手方向中央面Ｅ２の略面上に位置し、係合突起２３が長手方向中央面Ｅ２に対して、例示された実施例では右側へ、中心から外側へ相当量ずれており、解放位置で長手方向中央面Ｅ２に対向する下側境界２３ｆが、支持表面１７ｂの半径方向上部に、好ましくはその中央領域から、半径方向距離ｃの位置にある。
【００２５】
係合突起２３には、その傾斜した後部表面２３ｅから横方向凸部２３ｇが設けられる。横方向凸部２３ｇは、支持表面１７ｂ上の側面の内側部分にあり、その側面２３ｈが内側へ開口するように、長手方向中央面Ｅ２と例えば約１０〜１５°の鋭角Ｗ４をなしてもよい。反対側の上側境界で、係合突起２３には横方向凸部２３ｉを設けてもよい。
【００２６】
例示された実施例では、スリーブ壁部分１７ａは、インク溜め用孔部１２の断面が漸減する長手方向部分に延びている。壁厚の違いは、図１及び４に示される。従って、スリーブ壁部分１７ａは、インク溜め用孔部１２の漸減していない長手方向部分から内側へ数値ｄだけ突出している。その結果、大きな横断面寸法ｅを有する支持表面１７ｂが得られる。例示された実施例では、スリーブ壁部分１７ａは数値ｆだけ長手方向中央面Ｅ２から突出している。
【００２７】
押しボタン６は、グリップスリーブ４に設けた回動ロック３１により、回動しないように固定されているが、長手方向には移動可能である。回動ロック３１の機能は、押しボタン６及びグリップスリーブ４間の一方側又は両側での溝／ピン係合３２により達成できる。例示された実施例では、押しボタン６の両側から案内ウェブ３３が軸に平行に突出して、スリーブ壁部２２の壁部内面に設けた平行な案内溝３４に移動の遊びを有して配置されるが、案内溝３４は後側が開口しているので、押しボタン６はその案内ウェブ３３を後方から挿入可能となっている。それによって、係合突起２３を案内溝２７に対して周方向に確実に位置決めすることができる。而して係合突起２３は、案内溝２７前端の係合凹部２１に係合した係合位置にあるときは、その係合により押しボタン６を後退しないよう前部筆記位置に保持可能である。
【００２８】
係合装置１９は、係合装置１９を係合解除させ押しボタン６をインク溜め３と共に係合位置から待機位置へ後退させることが可能な移動装置３５と組み合わされる。この解除工程を実行するためには、押しボタン６を手で押して、係合突起２３を係合凹部２１と係合した係合位置から前方（即ち図１，２で左方）へ移動させ、これにより、係合突起２３の前部表面２３ｃを境界壁部２１ｂに追突させて、係合突起２３を半径方向内側（即ち図４で下側）へ移動させる；これにより、係合突起２３は横方向に機能する支持表面１７ｂに衝突し、そこで係合凹部２１から外れた、案内軸１３の軸線に平行な線３６上にあるように十分な距離を案内溝２７と反対方向（即ち図２で上方向、図４で右方向）へ横移動する。その結果、押しボタン６がばね１４の力で元の位置に戻されたとき、係合突起２３は、スリーブ壁部２２の内面上の、係合凹部２１から外れた位置を案内されて、係合凹部２１に没入することなく後方の待機位置に達し、この位置で係合突起２３は待機凹部２７ａへはね戻る。前記線３６は、待機凹部２７ａと係合突起２３の中央を通るので、係合突起２３が自動的にはね返ることが可能となる。
【００２９】
また、押しボタン６が前方へ押され係合突起２３が没入しているときには、係合突起２３がばねアーム２４から変位量ａ横方向に湾曲していることを利用して、線３６の領域に自動的にはね返るように支持表面１７ｂを構成することも可能である。押しボタン６が前方へ押し出された位置から待機位置へ戻るときに、停止部により係合突起２３が係合凹部２１の方へ横方向に移動することが阻止されるように、支持表面１７ｂの位置を定めることも可能である。
【図面の簡単な説明】
【００３０】
【図１】本発明に係る筆記具の実施例を示す縦断面図
【図２】ハウジングの案内溝周辺部を図１で上方から見た上面図
【図３】押しボタン単体を図１で上方から見た上面図
【図４】図３の線ＩＶ−ＩＶの断面図
【符号の説明】
【００３１】
１        筆記具
２        ハウジング
３        インク溜め
６        押しボタン
１２      インク溜め用孔部
１４      ばね
１７ａ    スリーブ壁部分
１７ｂ    支持表面
１７ｃ    自由表面
１７ｄ    境界縁部
１９      係合装置
２１      係合凹部
２３      係合突起
３５      移動装置
Ｗ１、Ｗ２、Ｗ３    鋭角
Ｅ１、Ｅ２    長手方向中央面
【図１】
0004590267.tif 000002
【図２】
0004590267.tif 000003
【図３】
0004590267.tif 000004
【図４】
0004590267.tif 000005